(57)【要約】【課題】  従来、ハンドレールの外縁に近接する建屋天井等で形成される楔状空間に設けられる保護装置においては、固定保護板の前縁垂直部に接合された筒体が、乗客の衝突やいたずらにより落下するなどして周辺部の通行人に危害を与えていた。【解決手段】  この問題を解決するため本発明は、無端状に連結されて水平路と傾斜路を移動するステップ１Ａと、ハンドレール１Ｂ等と、ハンドレール１Ｂの外縁との間に水平間隔ｍを空けて近接する固定体２とで形成される楔状空間Ｑの奥側に、固定体２に固定される固定保護板４及び筒体４Ａと、その手前側にあって固定体２に揺動自在に吊下げられる可動保護板６からなる保護装置８を備えたものにおいて、固定保護板４と筒体４Ａを、その相互接触部Ｓにおいて接着接合するほか、固定保護板４と筒体４Ａをねじ固定するねじ体４Ｂと、同じく両者を接合するフィルム片４Ｃとで接合する構造の保護装置８とした。【選択図】図３
2017165582.tif 000002
【特許請求の範囲】
【請求項１】
無端状に連結されて水平路と傾斜路を移動するステップと、このステップの手すりとなるハンドレールと、このハンドレールの案内路を形成する欄干と、ハンドレールの外縁との間に水平間隔を有して近接する建屋天井等とで形成される楔状空間に設けられた略三角状の固定保護板と、この固定保護板の前縁垂直部に対してその内周面が当設されるように嵌め込まれた略Ｃ字形の筒体とでなる保護装置を備えたものにおいて、前記固定保護板の前縁垂直部と、これに接する前記筒体とを、前記前縁垂直部にねじ込まれるねじ体と、このねじ体の頭部を被うように前記筒体の外周部と前記固定保護板の両側面部に貼り付けられるフィルム片とで接合したことを特徴とするエスカレーターの保護装置。
【発明の詳細な説明】
【技術分野】
【０００１】  本発明は、水平路から傾斜路に至る人員輸送設備であるエスカレーターのハンドレールと建屋天井等とで形成される楔状空間において乗客（特にその頭部）を保護するに好適な強度を有するエスカレーターの保護装置に関する。
【背景技術】
【０００２】  本技術分野の背景技術として、特開２００９−１９０８９３号公報（特許文献１）がある。この公報の図１に楔状空間の奥側の固定体に固定される略三角状の固定保護板と、その手前側にあって固定体に吊下げられた略台形状の可動保護板の構成が記載されている。そして、発明の要旨として固定保護板はその垂直辺とでＬ字形をなす閉塞辺を有する一体物の保護装置をもって人身事故を防止する旨記載されている。
【先行技術文献】
【特許文献】
【０００３】
【特許文献１】特開２００９−１９０８９３号公報
【発明の概要】
【発明が解決しようとする課題】
【０００４】  上記特許文献１に開示された保護装置は、エスカレーターの欄干上端部に設けられ、上昇方向に移動するハンドレールとこのハンドレールの外縁より外側に近接する建屋天井等で形成される楔状空間に、一般にアクリル樹脂材の略三角板とその前縁にパイプ状の筒体を組み合わせた通称「三角ガード板」であり、奥側のものを固定保護板、手前側のものを可動保護板と通称している。そして、固定保護板は、楔状空間において乗客がハンドレールを超えて外に身を乗り出したり、欄干外側の低い位置まで頭部を下げていた時に発生する挟まれ事故をそれの閉塞辺をもって防止する発明であるが、要点である閉塞辺がもたらす効果以前の問題として、特に固定保護板とその前縁部に接着された筒体の接合強度不足に起因して筒体が落下し、周辺部の通行客に危害を及ぼすこと、さらに落下したあとの筒体なし状態における衝突事故時の怪我（前縁部での裂傷）が懸念されてきた。【０００５】  従来、固定保護板の材質は、乗客の頭部衝突やいたずら（殴打、捩じり）によって破損する事象が多いために強靭な樹脂板材とされる透明ポリエチレンテレフタレート樹脂材（通称、ＰＥＴ材）が用いられる一方、筒体の材質は、市場性の高い透明アクリル樹脂材が用いられてきた。なお、固定保護板はＰＥＴ材の適用により破損等の不具合は解消されたものの、筒体は「遠心成形」と呼ばれる特殊な製法のためアクリル材しか市場性がなく、この固定保護板と筒体の材質違いに対して一種類の接着剤を使うことになるため強度不足（特に、ＰＥＴ材は接着性が劣る）の問題を内包していた。このため、上記のような乗客のいたずら等による筒体の落下危害が懸念され、両部材のより確実な接合構造が要望されていた。【０００６】  本発明は、かかる問題を解決するためになされたものであり、筒体の落下を防止できる接合構成を備えたエスカレーターの保護装置を提供するものである。
【課題を解決するための手段】
【０００７】  本発明は、上記目的を達成するために、無端状に連結されて水平路と傾斜路を移動するステップと、このステップの手すりとなるハンドレールと、このハンドレールの案内路を形成する欄干と、ハンドレールの外縁との間に水平間隔を有して近接する建屋天井等とで形成される楔状空間に設けられた略三角状の固定保護板と、この固定保護板の前縁垂直部に対してその内周面が当設されるように嵌め込まれた略Ｃ字形の筒体とでなる保護装置を備えたものにおいて、前記固定保護板の前縁垂直部と、これに接する前記筒体とを、前記前縁垂直部にねじ込まれるねじ体と、このねじ体の頭部を被うように前記筒体の外周部と前記固定保護板の両側面部に貼り付けられるフィルム片とで接合したエスカレーターの保護装置としたのである。
【発明の効果】
【０００８】  上記の構成によれば、固定保護板の前縁垂直部と筒体とが、従来の接着剤による接合力に加えてねじ体とフィルム片の接着面とでも直接的に接合されるので接合強度が何倍にも増し、安全面で懸念された筒体の落下事故が解消される効果がある。また、本発明のねじ体はフィルム片によってその頭部が被われるので弛む心配がなくなり、より高い信頼性を維持できる利点がある。
【図面の簡単な説明】
【０００９】
【図１】本発明の一実施形態を示す部分側面図である。
【図２】本発明の図１のＡ−Ａ線に沿う部分断面図である。
【図３】本発明の固定保護板単体の要部斜視図である。
【図４】本発明の図３のＢ−Ｂ線に沿う部分断面図である。
【発明を実施するための形態】
【００１０】  以下、本発明によるエスカレーターの保護装置の一実施形態を図に基づいて説明する。
【００１１】  図において、本発明の対象となるエスカレーター１は乗降口がある水平路から傾斜路を無端状に連結されて移動する多数のステップ１Ａと、このステップ１Ａの手すりとなるハンドレール１Ｂと、このハンドレール１Ｂの案内路を形成する欄干パネル１Ｃ、欄干デッキ１Ｄ等からなる欄干１Ｅを備えている。そして、ハンドレール１Ｂの外縁との間に水平間隔ｍを空けて位置し、ハンドレール１Ｂとは傾斜角度が異なる建屋天井等の固定体２とで形成される楔状空間Ｑの奥側には、その一辺が固定体２の底面にねじ体３で固定され、他の一辺がハンドレール１Ｂよりも下方に至る略三角状の固定保護板４が配置され、その裏面側には、固定保護板４の水平方向長さと同等の長さを有する略Ｌ字状の固定具５Ａが設けられている。また、固定保護板４の表面側（エスカレーター１側）には、固定保護板４の水平方向長さと同等の長さを有する平板状の固定具５Ｂが設けられ、横方向から固定具５Ｂ、固定保護板４及び固定具５Ａを貫通してこれら３部材を締め付けるねじ体５Ｃ（ナット類は図示省略）で固定されている。ここで、固定保護板４は、その前縁垂直部４ｃ部分に筒体４Ａが接合され、外見的にエスカレーター１の傾斜角（通常３０°）に沿ってハンドレール１Ｂの上面よりも下方に重なり代ｎを有する斜辺部４ａと建屋天井等の底面に沿う上辺部４ｂからなる板厚６ｍｍ程度の略三角状をなしている。さらに、固定保護板４の手前側にはハンドレール１Ｂの外縁との間に固定保護板４と同じく水平間隔ｍを空けて、その上辺部６ａが固定体２に揺動自在なチェン７で吊下げられ、その下辺部６ｂがハンドレール１Ｂの上面よりも下方に重なり代ｎを有する板厚６ｍｍ程度の略台形状の可動保護板６を備えて前記固定保護板４と固定具５Ａ等及び可動保護板６とで全体として本発明の保護装置８を構成している。なお、本発明は固定構造であるが故に衝撃力やいたずらによる不具合事象の多い固定保護板４を主対象としており、以下、固定保護板４の構成について述べることとし、外力を受け流す揺動構造の可動保護板６は次に述べる構成を応用すればよい、という考えで説明する。ここで、図３及び図４に詳細を示すように、板厚ｔ（図４）の固定保護板４の前縁垂直部４ｃに対してその内周面４ＡＡに当設されるように嵌め込まれた略Ｃ字形で直径Ｄが５０ｍｍほどの筒体４Ａが相互接触部Ｓにおいてそれぞれ接着剤で接合されるほか、ねじ体４Ｂによって前縁垂直部４ｃにねじ込まれて接合固定される構造である。さらに、ねじ体４Ｂを境にして上下に２０〜３０ｍｍ、合計幅が４０〜６０ｍｍで、長さ方向は、筒体４Ａの外周面と固定保護板４の両側面部側にＬ（特定しないが５０ｍｍ程度）の接着面を有する長方形で、一般に「ガラス飛散防止フィルム」と称するポリエステルフィルム等の透明なフィルム片４Ｃ（膜厚ｇ）を貼り付けて接合強度を増し、同時にねじ体４Ｂの緩みと抜け出しを防止している。ここで、図３に示した符号Ｆは、筒体４Ａの上下端を塞ぐ蓋体である。
【００１２】  このように本発明の固定保護板４は、その前縁垂直部４ｃに設ける筒体４Ａが相互接触部Ｓの接着による接合力と、ねじ体４Ｂの接合力と、フィルム片４Ｃの接合力とが合わさって接合されるので、従来のような衝撃やいたずらに起因する落下事故等は解消される利点がある。そして、この構成は可動保護板６にも応用すれば、保護装置８全体を同じ構造にすることができ、特許文献１と同じ閉塞辺を有する保護装置にもそのまま応用できるものである。なお参考的には、固定保護板４及び可動保護板６の材質は発明者らが実験した結果から、従来のアクリル樹脂材に代えて、メタクリル酸メチルエステル系合成樹脂材（例えば、三菱レイヨン社製では商品名が「アクリライトＲ  ＩＲ」）が適しているようである。
【００１３】  以上、本発明は各図で言及したように、固定保護板４と筒体４Ａが通常の接着接合に加えて、ねじ体４Ｂやフィルム片４Ｃによっても接合されるのでより安全なエスカレーターの保護装置を提供することができる。
【産業上の利用可能性】
【００１４】  本発明は傾斜路を有するエスカレーター式の動く歩動にも適用できる。
【符号の説明】
【００１５】  １  エスカレーター
１Ａ  ステップ
１Ｂ  ハンドレール
１Ｅ  欄干
２  固定体
４  固定保護板
４Ａ  筒体
４Ｂ  ねじ体
４Ｃ  フィルム片
４ｃ  前縁垂直部
６  可動保護板
８  保護装置
Ｑ  楔状空間
【図１】
2017165582.tif 000003
【図２】
2017165582.tif 000004
【図３】
2017165582.tif 000005
【図４】
2017165582.tif 000006